(57)【要約】【課題】  エレベータの意匠性を損なわずに非常時用の物品の収納を利用者に知らせるエレベータ装置を提供する。【解決手段】  エレベータ装置は、乗りかごと、乗りかごの側面に設けられ、非常時用の物品を収納する筐体部と、乗りかごの壁面として設けられ乗りかごと筐体部とを隔てるハーフミラーと、筐体部に設けられた第１の磁性体と、ハーフミラーの縁部に設けられた第２の磁性体と、ハーフミラーの他の縁部を乗りかご又は筐体部に支持し、ハーフミラーの回動を可能とする回転軸部とを有し、回転軸部の回動により第１の磁性体と第２の磁性体との着固を脱離させ、ハーフミラーの縁部を乗りかご内へ開扉して筐体部を開放する開閉機構と、筐体部に設けられ、エレベータが制御信号を受信したときに点灯し、非常時用の物品を照明する照明装置と、を具備する。【選択図】図１
2019014577.tif 000002
【特許請求の範囲】
【請求項１】
乗りかごと、
前記乗りかごの側面に設けられ、非常時用の物品を収納する筐体部と、
前記乗りかごの壁面として設けられ前記乗りかごと前記筐体部とを隔てるハーフミラーと、
前記筐体部に設けられた第１の磁性体と、前記ハーフミラーの縁部に設けられた第２の磁性体と、前記ハーフミラーの他の縁部を前記乗りかご又は前記筐体部に支持し、前記ハーフミラーの回動を可能とする回転軸部とを有し、前記回転軸部の回動により前記第１の磁性体と第２の磁性体との着固を脱離させ、前記ハーフミラーの縁部を前記乗りかご内へ開扉して前記筐体部を開放する開閉機構と、
前記筐体部に設けられ、エレベータの制御盤から制御信号を受信したときに点灯し、前記非常時用の物品を照明する照明装置と、
を具備したエレベータ装置。
【請求項２】
前記筐体部近傍または筐体部内に設けられ、自装置が備える表示用の照明により、前記乗りかご内から前記ハーフミラーを介して表示面を視認できる表示装置を具備した、請求項１に記載のエレベータ装置。
【請求項３】
前記筐体部には非常時用の物品として自動体外式除細動器が収納されており、
前記表示装置は、前記制御信号を受信したときに、前記自動体外式除細動器の使用方法または前記自動体外式除細動器が呼び出されたことを表示する、
請求項２に記載のエレベータ装置。
【請求項４】
前記筐体部には非常時用の物品として防災用備品が収納されており、
前記表示装置は、前記制御信号を受信したときに、前記制御信号を受信したことを表示する、
請求項２に記載のエレベータ装置。
【請求項５】
前記照明装置は、所定の時間間隔で前記非常時用の物品を照明し、前記乗りかご内に前記非常時用の物品の収納場所を通知する、請求項１乃至請求項４のいずれか１項に記載のエレベータ装置。
【請求項６】
前記開閉機構は、前記制御信号を受信したときに、前記ハーフミラーの縁部を前記乗りかご内に押出して開扉する、前記第１の磁性体の近傍にアクチュエータを更に設けた、請求項１乃至請求項５のいずれか１項に記載のエレベータ装置。
【請求項７】
階床に設けられた釦を押して信号を制御盤に送信し、前記制御盤が前記信号に基づいてエレベータの乗りかごの昇降制御を行うエレベータ制御システムであって、
前記エレベータは、前記乗りかごの側面に設けられ自動体外式除細動器を収納する筐体部と、前記乗りかごの壁面として設けられ前記乗りかごと前記筐体部とを隔てるハーフミラーと、前記ハーフミラーの縁部を前記乗りかご内へ開扉して前記筐体部を開放する開閉機構と、前記筐体部に設けられた照明装置と、を具備し、
前記階床は前記乗りかごを当該階床に呼び出すＡＥＤ呼出釦を具備し、
前記ＡＥＤ呼出釦が押されると、前記乗りかごを呼び出す、呼出信号を前記制御盤に送信し、
前記制御盤が前記呼出信号を受信すると、非常時用制御信号を前記乗りかごに送信し、前記乗りかごを前記ＡＥＤ呼出釦が押された階床に移動させ、
前記乗りかごが前記非常時用制御信号を受信すると、前記照明装置が点灯して前記自動体外式除細動器を照明し、前記乗りかご内から前記筐体部内を視認することを可能とする、
エレベータ制御システム。
【請求項８】
前記筐体部近傍または筐体部内に設けられ、自装置が備える表示用の照明により、前記乗りかご内から前記ハーフミラーを介して表示面を視認できる表示装置を更に具備し、
前記乗りかごが前記非常時用制御信号を受信すると、前記表示装置に前記自動体外式除細動器の使用方法または前記自動体外式除細動器が呼び出されたことを表示する、
請求項７に記載のエレベータ制御システム。
【請求項９】
前記ＡＥＤ呼出釦を備える階床は階床用表示装置を具備し、
前記ＡＥＤ呼出釦が押され、前記呼出信号が前記制御盤に送信されると、前記階床用表示装置に前記自動体外式除細動器の使用方法または前記自動体外式除細動器が呼び出されたことを表示する、
請求項７または請求項８に記載のエレベータ制御システム。
【発明の詳細な説明】
【技術分野】
【０００１】
本発明の実施形態は、エレベータ装置およびエレベータ制御システムに関する。
【背景技術】
【０００２】
従来、エレベータの乗りかご側板に筐体を設け、筐体内部に自動体外式除細動器（ＡＥＤ）を設けたエレベータが知られている。（例えば特許文献１）このエレベータは、ＡＥＤを必要とする患者がどの階床で発生しても、エレベータにより患者のいる階床にＡＥＤを提供することができる。
【０００３】
しかし、筐体はエレベータの出入口に対向する、奥の側板に設けられることが多く、当該側板は利用者の目に留まる機会が多いことから、筐体の蓋などが側板に現れていると、エレベータの意匠性を損ねるという問題がある。
【先行技術文献】
【特許文献】
【０００４】
【特許文献１】特開２００８−２６５８９８号公報
【特許文献２】特表２０１５−５２６３５８号公報
【発明の概要】
【発明が解決しようとする課題】
【０００５】
本発明が解決しようとする課題は、エレベータの意匠性を損なわずに非常時用の物品の収納を利用者に知らせるエレベータ装置を提供することである。
【課題を解決するための手段】
【０００６】
上記課題を解決するため、実施形態のエレベータ装置は、乗りかごと、前記乗りかごの側面に設けられ、非常時用の物品を収納する筐体部と、前記乗りかごの壁面として設けられ前記乗りかごと前記筐体部とを隔てるハーフミラーと、前記筐体部に設けられた第１の磁性体と、前記ハーフミラーの縁部に設けられた第２の磁性体と、前記ハーフミラーの他の縁部を前記乗りかご又は前記筐体部に支持し、前記ハーフミラーの回動を可能とする回転軸部とを有し、前記回転軸部の回動により前記第１の磁性体と第２の磁性体との着固を脱離させ、前記ハーフミラーの縁部を前記乗りかご内へ開扉して前記筐体部を開放する開閉機構と、前記筐体部に設けられ、エレベータが制御信号を受信したときに点灯し、前記非常時用の物品を照明する照明装置と、を具備する。
【０００７】
上記課題を解決するため、実施形態のエレベータ制御システムは、階床に設けられた釦を押して信号を制御盤に送信し、前記制御盤が前記信号に基づいてエレベータの乗りかごの昇降制御を行うエレベータ制御システムであって、前記エレベータは、前記乗りかごの側面に設けられ自動体外式除細動器を収納する筐体部と、前記乗りかごの壁面として設けられ前記乗りかごと前記筐体部とを隔てるハーフミラーと、前記ハーフミラーの縁部を前記乗りかご内へ開扉して前記筐体部を開放する開閉機構と、前記筐体部に設けられた照明装置と、を具備し、前記階床は前記乗りかごを当該階床に呼び出すＡＥＤ呼出釦を具備し、前記ＡＥＤ呼出釦が押されると、前記乗りかごを呼び出す呼出信号を前記制御盤に送信し、前記制御盤が前記呼出信号を受信すると、非常時用制御信号を前記乗りかごに送信し、前記乗りかごを前記ＡＥＤ呼出釦が押された階床に移動させ、前記乗りかごが前記非常時用制御信号を受信すると、前記照明装置が点灯して前記自動体外式除細動器を照明し、前記乗りかご内から前記筐体部内を視認することを可能とする。
【図面の簡単な説明】
【０００８】
【図１】第１の実施形態に係るエレベータ装置の構造の斜視図。
【図２】筐体部とハーフミラーの開閉機構の構造図。
【図３】ハーフミラーを開扉した場合のエレベータ装置の構造の斜視図。
【図４】筐体部の構造図。
【図５】階床におけるＡＥＤ呼出釦の図。
【図６】第１の実施形態に係るエレベータ制御システムの構成図。
【図７】ＡＥＤ呼出釦が押されたときの乗りかごの内部の図。
【図８】第２の実施形態おける表示装置、ハーフミラー、筐体部の斜視図。
【図９】ＡＥＤ呼出釦が押されたときの乗りかごの表示装置の表示の図。
【図１０】アクチュエータを用いた開閉機構の構造図。
【発明を実施するための形態】
【０００９】
以下、エレベータ装置およびエレベータ制御システムの実施形態を図面に基づき説明する。
【００１０】
（第１の実施形態）
以下、第１の実施形態に係るエレベータ装置について詳述する。図１は本実施形態に係るエレベータ装置１００の構造についての斜視図である。エレベータ装置１００は乗りかご１０と筐体部２０とハーフミラー３０と照明装置４０とを具備している。
【００１１】
乗りかご１０は、人の出入りを行う出入口１１と、出入口１１に対向する側面である壁面１２と、出入口１１から向って左右に位置する左側面１３Ｌ、右側面１３Ｒ（図１では図示を省略）、かご床１４、かご天井１５（図１では図示を省略）を具備している。乗客は出入口１１から乗車して、左右側面１３Ｌ、１３Ｒとかご床１４とかご天井１５とに囲まれた空間にて、エレベータの操作を行うことができる。当該空間を乗りかご１０内と称する。
【００１２】
壁面１２において、乗りかご１０内を構成する面とは他の面に筐体部２０が設けられている。即ち、筐体部２０は乗りかご１０の外側に設けられている。
【００１３】
筐体部２０は、ＡＥＤなど非常時用の物品を収納されている。本実施形態では非常時用の物品としてＡＥＤ６０を用いて説明する。
【００１４】
壁面１２はハーフミラー３０とその両側に側面３１とを有している。ハーフミラー３０は乗りかご１０の壁面として設けられており、筐体部２０とを隔てている。以下、ハーフミラー３０の乗りかご１０内にある面を表面とし、筐体部２０が設けられた面を裏面とする。
【００１５】
ハーフミラー３０は鏡の機能として車いすの乗客の乗降を手助けする役割を有するほか、側面３１と合わせて乗りかご１０の内装における意匠性を有している。
【００１６】
照明装置４０は筐体部２０に設けられている。エレベータが通常運行をしている場合は、照明装置４０は消灯をしており、乗りかご１０内は筐体部２０よりも明るい状態となる。このため、ハーフミラー３０は鏡としての機能を有する。
【００１７】
ＡＥＤ６０を搬送する非常時の運行をする場合において、エレベータが非常時用の制御信号（以下、非常時用制御信号１６１とする）を受信すると照明装置４０が点灯し、ＡＥＤ６０に光を照射する。照明装置４０が点灯すると、ハーフミラー３０は照明装置４０の光を乗りかご１０内へ透過する。これにより、乗客はＡＥＤ６０が筐体部２０に収納されていることを視認することができる。即ち、非常時の場合、ハーフミラー３０は透過機能を有する。
【００１８】
図２は筐体部２０とハーフミラー３０との開閉機構の構造図であり、図１のＡＢ間における断面の図である。図３はハーフミラー３０を開扉した場合のエレベータ装置の構造の斜視図である。ハーフミラー３０は縁部を乗りかご１０内へ引きこみ開扉することで筐体部２０を開放し、乗りかご１０と筐体部２０とを連接することが可能となる。即ち、ハーフミラー３０は筐体部２０の蓋部の役割を有する。乗客はハーフミラー３０を開扉することで、乗りかご１０内から筐体部２０に収納されているＡＥＤ６０（図２では図示を省略）を取り出すことが可能である。
【００１９】
乗りかご１０とハーフミラー３０とは開閉機構５０を有しており、開閉機構５０によりハーフミラー３０を乗りかご１０内に引き込み開扉することが可能である。開閉機構５０は第１の磁性体５１と第２の磁性体５２と回転軸部５３とを有している。
【００２０】
図２（ａ）のように筐体部２０には第１の磁性体５１が設けられており、ハーフミラー３０には第１の磁性体５１に対応する第２の磁性体５２が設けられている。更に乗りかご１０または筐体部２０と、ハーフミラー３０とは回転軸部５３にて支持されている。回転軸部５３はハーフミラー３０の第２の磁性体５２が設けられた縁部とは他の縁部に設けられている。回転軸部５３を軸としてハーフミラー３０を回動させると、第１の磁性体５１と第２の磁性体５２とが脱離し、ハーフミラー３０の第２の磁性体５２が設けられた縁部を乗りかご１０内へ引き込むことができる。
【００２１】
図２（ｂ）はハーフミラー３０を閉じたときの状態である。回転軸部５３を回動し、ハーフミラー３０を筐体部２０側へ押し込むことで第１の磁性体５１と第２の磁性体５２とを磁力により着固し、ハーフミラー３０を閉扉することができる。
【００２２】
なお、図２では回転軸部５３を筐体部２０と乗りかご１０とハーフミラー３０とに設けたが、乗りかご１０とハーフミラー３０とに設けてもよく、筐体部２０とハーフミラー３０とに設けてもよい。
【００２３】
ハーフミラー３０を開扉した場合、図３のように乗りかご１０と筐体部２０とが連接され、ＡＥＤ６０を乗りかご１０内から取り出すことが可能となる。
【００２４】
図４は筐体部２０の内部の構造図である。筐体部２０は開口部の片側に第１の磁性体５１が設けられている。さらに照明装置４０が光を照射し、ＡＥＤ６０の表面を照明するよう設けられている。ただし、筐体部２０の大きさ、第１の磁性体５１の配置、照明装置４０の配置は図４に限定はされない。
【００２５】
以下、第１の実施形態に係るエレベータ制御システムについて詳述する。本実施形態に係るエレベータ制御システム２００は、階床の乗り場に設けられたＡＥＤを呼び出す専用の釦、ＡＥＤ呼出釦を有している。図５は階床の乗り場に設けられたＡＥＤ呼出釦一例である。階床の乗り場には階床扉７０と乗り場案内装置７１とを備えている。乗り場案内装置７１にはエレベータの上昇、降下の呼出釦のほかにＡＥＤ呼出釦７２が設けられている。また、乗り場にはエレベータの運行状況などを表示する、階床用表示装置７３が設けられていてもよい。
【００２６】
図６は第１の実施形態であるエレベータ制御システム２００の構成図である。本実施形態に係るエレベータ制御システムでは昇降路内に乗りかご１０とカウンタウエイト（釣り合い錘）１１０とがメインロープ１２０にて接続されている。昇降路の上部にはエレベータ全体の制御を行う制御盤１３０が昇降路の上部に備えられており、さらに巻上機１４０が設けられている。巻上機１４０には、メインロープ１２０が巻き架けられている。制御盤１３０の制御に基づいて巻上機１４０が駆動されることによって、メインロープ１２０の両端に接続された乗りかご１０及びカウンタウエイト１１０が互いに反対方向に昇降動作する。制御盤１３０と乗りかご１０とはテールコード１５０にて接続されている。テールコード１５０は制御盤１３０が乗りかご１０を制御するための信号を伝送するコードである。
【００２７】
各階床（ａ〜ｃ）にはＡＥＤ呼出釦７２（７２ａ、７２ｂ、７２ｃ）が設けられており、各ＡＥＤ呼出釦７２は階床の乗り場の壁面内部に設けられた伝送路（図６の点線）を介して制御盤１３０へと接続されている。
【００２８】
図６の階床ｂに患者がおり、階床ｂに設けられたＡＥＤ呼出釦７２ｂが押された場合、エレベータ呼出信号１６０が階床の情報とともに制御盤１３０に送信される。制御盤１３０はエレベータ呼出信号１６０を受信すると、非常時用制御信号１６１をテールコード１５０にて乗りかご１０に送信し、かつ、巻上機１４０を制御して乗りかご１０を階床ｂに着床させる。非常時用制御信号１６１は筐体部２０に設けられた照明装置４０を点灯させ、乗りかご１０のかご扉を戸開し待機させる信号である。制御盤１３０は乗りかご１０のかご扉を戸開したタイミングで階床ｂの階床扉７０を戸開する。
【００２９】
図７はＡＥＤ呼出釦７２ｂが押されたときの乗りかご１０の内部の図である。ハーフミラー３０の裏面に位置する筐体部２０内の照明装置４０が点灯し、ＡＥＤ６０を照明することで、照明装置４０の光がハーフミラー３０を透過し、ＡＥＤ呼出釦７２ｂを押した者や乗客は筐体部２０のＡＥＤ６０の位置を視認することが可能となる。
【００３０】
ＡＥＤ呼出釦７２ｂを押した者や乗客は開閉機構５０によりハーフミラー３０を開扉することで、ＡＥＤ６０を取り出し、使用することができる。
【００３１】
以上より、本実施形態はエレベータの意匠性を損なわずに非常時用の物品（ＡＥＤ）の収納を利用者に知らせることが可能としている。
【００３２】
（第２の実施形態）
第２の実施形態に係るエレベータ装置１０１およびエレベータ制御システム２０１は第１の実施形態のハーフミラー３０の近傍に表示装置８０を設けたものである。
【００３３】
図８は第２の実施形態における表示装置８０、ハーフミラー３０、筐体部２０の斜視図である。表示装置８０は筐体部２０が設けられたハーフミラー３０の面と同一面側（裏面側）に、筐体部２０の近傍に設けられている。表示装置８０の表示面８１は乗りかご１０内に向かって設けられている。
【００３４】
表示装置８０はバックライト等、表示用の照明（図示せず）を備えており、表示面８１の表示を、自装置の照明を用いてハーフミラー３０を介して乗りかご１０内の乗客に対して表示することができる。
【００３５】
エレベータが通常運行をしている場合は、ハーフミラー３０は鏡としての機能を有しつつ、表示装置８０に対応する部分は表示面８１の表示をするため、高い意匠性を有する。
【００３６】
ＡＥＤ呼出釦７２が押されて、ＡＥＤ６０を搬送する非常時の運行をする場合、エレベータが非常時用制御信号１６１を受信すると照明装置４０が点灯し、ＡＥＤ６０を照明する。それとほぼ同時に表示装置８０の表示面８１は、通常運行用の表示から非常時用の表示に切り替える。
【００３７】
図９はＡＥＤ呼出釦７２が押されたときの乗りかご１０の表示装置８０の表示の例示の図である。図９（ａ）はＡＥＤ６０の使い方について説明をした動画や静止画などが表示される。一般的にＡＥＤは小型化されており、ＡＥＤに備えつけられたディスプレイは小さい場合がある。図９（ａ）はＡＥＤ６０に備え付けられたディスプレイに表示されるものと同様の表示を行うことで、ＡＥＤ６０の使用者の補助を行うことができる。
【００３８】
図９（ｂ）はＡＥＤ呼出釦７２が押されて、エレベータがＡＥＤ６０を搬送する運行となった旨を伝える、救命呼び発生の表示をする。乗客に当該エレベータが通常運行から非常時の運行となったことを知らせ、他のエレベータを利用することを促すことが可能となる。
【００３９】
表示装置８０は乗りかご１０の外壁もしくは筐体部２０に支持されており、ハーフミラー３０を開扉した場合、ＡＥＤ６０の使用者は表示面８１を直接に視認することができる。
【００４０】
本実施形態に係るエレベータ制御システム２０１の構成図は図６と同様である。ただし、本実施形態に係るエレベータ制御システム２０１と第１の実施形態に係るエレベータ制御システム２００の差異は、非常時用制御信号１６１に表示面８１の切り替えを行う信号を付加したことである。即ち、非常時用制御信号１６１は筐体部２０に設けられた照明装置４０を点灯させ、表示装置８０に非常時用の表示を行わせ、乗りかご１０のかご扉を戸開し待機させる信号である。
【００４１】
本実施形態では表示装置８０を筐体部２０の近傍に設置した場合について説明をしたが、筐体部２０が乗りかご１０の昇降方向に長い辺を有しており、表示装置８０が筐体部２０の内部に設けられていてもよい。
【００４２】
以上より、本実施形態はエレベータの意匠性を損なわずに非常時用の物品（ＡＥＤ）の収納を利用者に知らせ、更に表示装置によりＡＥＤの使用方法や救命呼び発生の告知を知らせることが可能としている。
【００４３】
（実施形態の変形例）
第１の実施形態に係るエレベータ装置１００および第２の実施形態に係るエレベータ装置１０１は非常時用制御信号１６１を受信した場合、照明装置４０を点灯した。変形例として、非常時用制御信号１６１を受信していないとき、即ち通常運行時において、所定の時間間隔にて照明装置４０を点灯させてＡＥＤ６０が筐体部２０に格納されていることを通知してもよい。
【００４４】
通常運行時における照明装置４０の点灯は一例として、非常時用制御信号１６１とは別に制御盤１３０から制御信号を送信し、乗りかご１０が受信するとしてもよい。また、筐体部２０内にタイマーをセットし、タイマーに連動して照明装置４０を点灯しても良い。
【００４５】
通常運行時において、ＡＥＤ６０の収納場所を定期的に知らせることで、乗客にエレベータがＡＥＤ６０を備えていることを記憶させることが可能である。
【００４６】
（第３の実施形態）
第３の実施形態に係るエレベータ装置１０２およびエレベータ制御システム２０２は第１の実施形態および第２の実施形態の筐体部２０にアクチュエータ９０を更に設けた開閉機構５０を有する。
【００４７】
図１０はアクチュエータ９０を用いた筐体部２０と開閉機構５０の構造図であり、図１のＡＢにおける断面図である。図１０（ａ）において、アクチュエータ９０は第１の磁性体５１の近傍に設けられており、筐体部２０に支持されている。アクチュエータ９０は本体部９１とスライド部９２とを有しており、ＡＥＤ呼出釦７２が押されて制御盤１３０から非常時用制御信号１６１を受信すると、スライド部９２が本体部９１より乗りかご１０内の方向に向かって押出され、第１の磁性体５１と第２の磁性体５２とを脱離させて、ハーフミラー３０を開扉する。即ち、本実施形態に係るエレベータ装置１０２およびエレベータ制御システム２０２はＡＥＤ呼出釦７２が押されると、自動で開閉機構５０が作動し、ハーフミラー３０を開扉する。
【００４８】
図１０（ｂ）はハーフミラー３０が閉じているときの状態である。ハーフミラー３０が閉じているときはスライド部９２の一部が本体部９１に格納されている。エレベータが通常運行をしている場合は、ハーフミラー３０が閉じている状態であり、ハーフミラー３０は鏡としての機能を有し、側面３１と合わせて乗りかご１０の内装における意匠性を有している。
【００４９】
本実施形態に係るエレベータ装置１０２は、ＡＥＤ６０を搬送する非常時の運行をする場合、ＡＥＤ呼出釦７２が押されてエレベータが非常時用制御信号１６１を受信すると照明装置４０が点灯し、ＡＥＤ６０を照明する。それとほぼ同時にアクチュエータ９０は本体部９１からスライド部９２を乗りかご１０内の方向へスライドし、ハーフミラー３０の裏面を押出して開扉する。乗りかご１０の外側に表示装置８０を設けていた場合、照明装置４０の点灯やハーフミラー３０の開扉とほぼ同時に表示装置８０の表示面８１を、通常運行用の表示から非常時用の表示に切り替える。
【００５０】
本実施形態に係るエレベータ制御システム２０２の構成図は図６と同様である。ただし、本実施形態に係るエレベータ制御システム２０２と第１の実施形態に係るエレベータ制御システム２００の差異は、非常時用制御信号１６１にアクチュエータ９０のスライド部９２をスライドさせる信号を付加したことである。即ち、非常時用制御信号１６１は筐体部２０に設けられた照明装置４０を点灯させ、アクチュエータ９０によりハーフミラー３０を開扉させ、乗りかご１０のかご扉を戸開し待機させる信号である。また、エレベータ制御システム２０１と同様に表示装置８０に非常時用の表示を行わせる信号を更に付与してもよい。
【００５１】
以上より、本実施形態はエレベータの意匠性を損なわずに非常時用の物品（ＡＥＤ）の収納を利用者に知らせ、更にハーフミラー３０を自動で開扉することでＡＥＤ６０を取り出すことが可能としている。
【００５２】
（第４の実施形態）
本実施形態に係るエレベータ制御システム２０３は、第１乃至第３の実施形態に係るエレベータ制御システム（２００〜２０２）において、ＡＥＤ呼出釦７２が押されて、ＡＥＤ６０を搬送する非常時の運行をする場合に、図５の階床用表示装置７３に非常時用の表示を行うものである。
【００５３】
図６の階床ｂにてＡＥＤ呼出釦７２ｂが押された場合、制御盤１３０はエレベータ呼出信号１６０を受信すると、乗りかご１０を制御しつつ、階床ｂの階床用表示装置７３にＡＥＤ６０の使い方について説明した表示、もしくはＡＥＤ６０を搬送する運行となった旨を伝える、救命呼び発生の表示を行う。
【００５４】
これにより、階床ｂの乗り場にいる者はＡＥＤ６０を使用する際に、階床用表示装置７３の表示を参照することが可能となる。また、他の乗客がＡＥＤ６０を搬送する運行となったことを知ることができる。
【００５５】
本実施形態において、例えば、ＡＥＤ呼出釦７２ｂが押された階床ｂの階床用表示装置７３にはＡＥＤ６０の使い方について説明した表示をし、他の階床（階床ａ、階床ｃ）の階床用表示装置７３にはＡＥＤ６０を搬送する運行となった旨を伝える、救命呼び発生の表示をしても良い。
【００５６】
以上より、本実施形態はエレベータの意匠性を損なわずに非常時用の物品（ＡＥＤ）の収納を利用者に知らせつつ、階床にいるものにＡＥＤの使用方法または救命呼び発生を知ることが可能となる。
【００５７】
（第５の実施形態）
本実施形態は第１乃至第４の実施形態に係るエレベータ装置およびエレベータ制御システムについて、非常時用の物品をＡＥＤ６０から防災用備品に置き換えたものである。
【００５８】
本実施形態ではＡＥＤ呼出釦７２の代わりに、防災用品備品を呼び出す釦が、階床または乗りかご１０内の行き先操作盤にいずれかに設けられている。本実施形態ではエレベータ呼出信号１６０の代わりに災害用信号が壁面内部、またはテールコード１５０により制御盤１３０に送信されることとなる。
【００５９】
防災用品備品を呼び出す釦が押され、災害用信号が発せられると、照明装置４０が点灯し、防災用品備品の所在を乗客に知らせることができる。
【００６０】
また、表示装置８０を設けている場合は、表示装置８０に災害用の制御信号が制御盤より発せられた旨を表示することができる。
【００６１】
また、所定の時間間隔にて照明装置４０を点灯させて防災用備品が筐体部２０に格納されていることを通知してもよい。
【００６２】
また、防災用品備品を呼び出す釦が押され、災害用信号が発せられると、アクチュエータ９０によるハーフミラー３０の開扉を行ってもよい。
【００６３】
また、防災用品備品を呼び出す釦が押され、災害用信号が発せられると、階床用表示装置７３に災害用信号が発せられた旨を表示してもよい。
【００６４】
本実施形態に係るエレベータ装置およびエレベータ制御システムはエレベータの意匠性を損なわずに防災用品備品の収納を利用者に知らせることが可能となる。
【００６５】
以上の実施形態に係るエレベータ制御システムは、ＡＥＤ呼出釦７２または防災用品備品を呼び出す釦を誤操作などにより非常時ではないときに押してしまった場合、解除する機能を有していてもよい。たとえば、当該釦を長押しする、２回以上連続して押すなどした場合に、非常時用の運行から通常運行に戻すことが可能である。
【００６６】
本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１０…乗りかご
１１…出入口
１２…壁面
１３Ｌ…左側面
１３Ｒ…右側面
１４…かご床
１５…かご天井
２０…筐体部
３０…ハーフミラー
４０…照明装置
５０…開閉機構
５１…第１の磁性体
５２…第２の磁性体
５３…回転軸部
６０…ＡＥＤ（自動体外式除細動器）
７０…階床扉
７１…乗り場案内装置
７２…ＡＥＤ呼出釦
７３…階床用表示装置
８０…表示装置
９０…アクチュエータ
１００、１０１、１０２…エレベータ制御装置
２００、２０１、２０２…エレベータ制御システム
【図１】
2019014577.tif 000003
【図２】
2019014577.tif 000004
【図３】
2019014577.tif 000005
【図４】
2019014577.tif 000006
【図５】
2019014577.tif 000007
【図６】
2019014577.tif 000008
【図７】
2019014577.tif 000009
【図８】
2019014577.tif 000010
【図９】
2019014577.tif 000011
【図１０】
2019014577.tif 000012
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
乗りかごと、
前記乗りかごの側面に設けられ、非常時用の物品を収納する筐体部と、
前記乗りかごの壁面として設けられ前記乗りかごと前記筐体部とを隔てるハーフミラーと、
前記筐体部に設けられた第１の磁性体と、前記ハーフミラーの縁部に設けられた第２の磁性体と、前記ハーフミラーの他の縁部を前記乗りかご又は前記筐体部に支持し、前記ハーフミラーの回動を可能とする回転軸部とを有し、前記回転軸部の回動により前記第１の磁性体と第２の磁性体との着固を脱離させ、前記ハーフミラーの縁部を前記乗りかご内へ開扉して前記筐体部を開放する開閉機構と、
前記筐体部に設けられ、エレベータの制御盤から制御信号を受信したときに点灯し、前記非常時用の物品を照明し、前記乗りかご内へ光を透過させる照明装置と、
を具備したエレベータ装置。
【請求項２】
前記筐体部近傍または筐体部内に設けられ、自装置が備える表示用の照明により、前記乗りかご内から前記ハーフミラーを介して表示面を視認できる表示装置を具備した、請求項１に記載のエレベータ装置。
【請求項３】
前記筐体部には非常時用の物品として自動体外式除細動器が収納されており、
前記表示装置は、前記制御信号を受信したときに、前記自動体外式除細動器の使用方法または前記自動体外式除細動器が呼び出されたことを表示する、
請求項２に記載のエレベータ装置。
【請求項４】
前記筐体部には非常時用の物品として防災用備品が収納されており、
前記表示装置は、前記制御信号を受信したときに、前記制御信号を受信したことを表示する、
請求項２に記載のエレベータ装置。
【請求項５】
前記照明装置は、所定の時間間隔で前記非常時用の物品を照明し、前記乗りかご内に前記非常時用の物品の収納場所を通知する、請求項１乃至請求項４のいずれか１項に記載のエレベータ装置。
【請求項６】
前記開閉機構は、前記制御信号を受信したときに、前記ハーフミラーの縁部を前記乗りかご内に押出して開扉する、前記第１の磁性体の近傍にアクチュエータを更に設けた、請求項１乃至請求項５のいずれか１項に記載のエレベータ装置。
【請求項７】
階床に設けられた釦を押して信号を制御盤に送信し、前記制御盤が前記信号に基づいてエレベータの乗りかごの昇降制御を行うエレベータ制御システムであって、
前記エレベータは、前記乗りかごの側面に設けられ自動体外式除細動器を収納する筐体部と、前記乗りかごの壁面として設けられ前記乗りかごと前記筐体部とを隔てるハーフミラーと、前記ハーフミラーの縁部を前記乗りかご内へ開扉して前記筐体部を開放する開閉機構と、前記筐体部に設けられた照明装置と、を具備し、
前記階床は前記乗りかごを当該階床に呼び出すＡＥＤ呼出釦を具備し、
前記ＡＥＤ呼出釦が押されると、前記乗りかごを呼び出す、呼出信号を前記制御盤に送信し、
前記制御盤が前記呼出信号を受信すると、非常時用制御信号を前記乗りかごに送信し、
前記乗りかごを前記ＡＥＤ呼出釦が押された階床に移動させ、
前記乗りかごが前記非常時用制御信号を受信すると、前記照明装置が点灯して前記自動体外式除細動器を照明し、前記乗りかご内へ光を透過させることで前記乗りかご内から前記筐体部内を視認することを可能とする、
エレベータ制御システム。
【請求項８】
前記筐体部近傍または筐体部内に設けられ、自装置が備える表示用の照明により、前記乗りかご内から前記ハーフミラーを介して表示面を視認できる表示装置を更に具備し、
前記乗りかごが前記非常時用制御信号を受信すると、前記表示装置に前記自動体外式除細動器の使用方法または前記自動体外式除細動器が呼び出されたことを表示する、
請求項７に記載のエレベータ制御システム。
【請求項９】
前記ＡＥＤ呼出釦を備える階床は階床用表示装置を具備し、
前記ＡＥＤ呼出釦が押され、前記呼出信号が前記制御盤に送信されると、前記階床用表示装置に前記自動体外式除細動器の使用方法または前記自動体外式除細動器が呼び出されたことを表示する、
請求項７または請求項８に記載のエレベータ制御システム。
【手続補正２】
【補正対象書類名】明細書
【補正対象項目名】０００６
【補正方法】変更
【補正の内容】
【０００６】
上記課題を解決するため、実施形態のエレベータ装置は、乗りかごと、前記乗りかごの側面に設けられ、非常時用の物品を収納する筐体部と、前記乗りかごの壁面として設けられ前記乗りかごと前記筐体部とを隔てるハーフミラーと、前記筐体部に設けられた第１の磁性体と、前記ハーフミラーの縁部に設けられた第２の磁性体と、前記ハーフミラーの他の縁部を前記乗りかご又は前記筐体部に支持し、前記ハーフミラーの回動を可能とする回転軸部とを有し、前記回転軸部の回動により前記第１の磁性体と第２の磁性体との着固を脱離させ、前記ハーフミラーの縁部を前記乗りかご内へ開扉して前記筐体部を開放する開閉機構と、前記筐体部に設けられ、エレベータが制御信号を受信したときに点灯し、前記非常時用の物品を照明し、前記乗りかご内へ光を透過させる照明装置と、を具備する。
【手続補正３】
【補正対象書類名】明細書
【補正対象項目名】０００７
【補正方法】変更
【補正の内容】
【０００７】
上記課題を解決するため、実施形態のエレベータ制御システムは、階床に設けられた釦を押して信号を制御盤に送信し、前記制御盤が前記信号に基づいてエレベータの乗りかごの昇降制御を行うエレベータ制御システムであって、前記エレベータは、前記乗りかごの側面に設けられ自動体外式除細動器を収納する筐体部と、前記乗りかごの壁面として設けられ前記乗りかごと前記筐体部とを隔てるハーフミラーと、前記ハーフミラーの縁部を前記乗りかご内へ開扉して前記筐体部を開放する開閉機構と、前記筐体部に設けられた照明装置と、を具備し、前記階床は前記乗りかごを当該階床に呼び出すＡＥＤ呼出釦を具備し、前記ＡＥＤ呼出釦が押されると、前記乗りかごを呼び出す呼出信号を前記制御盤に送信し、前記制御盤が前記呼出信号を受信すると、非常時用制御信号を前記乗りかごに送信し、前記乗りかごを前記ＡＥＤ呼出釦が押された階床に移動させ、前記乗りかごが前記非常時用制御信号を受信すると、前記照明装置が点灯して前記自動体外式除細動器を照明し、前記乗りかご内へ光を透過させることで前記乗りかご内から前記筐体部内を視認することを可能とする。